【手続補正書】
【提出日】平成24年5月30日(2012.5.30)
【手続補正１】
【補正対象書類名】明細書
【補正対象項目名】発明の名称
【補正方法】変更
【補正の内容】
【発明の名称】通信装置及び通信方法
【手続補正２】
【補正対象書類名】明細書
【補正対象項目名】０００７
【補正方法】変更
【補正の内容】
【０００７】
本発明は、上記事情に鑑みてなされたもので、その目的は、アドレス変換が行われるネットワーク間において、速やかに通信可能性を判定し、短時間で通信可能な通信経路を構築することのできる通信装置及び通信方法を提供することにある。
【手続補正３】
【補正対象書類名】明細書
【補正対象項目名】０００８
【補正方法】変更
【補正の内容】
【０００８】
本発明は、第１の態様として、中継装置を介して他の通信装置と通信を行い、前記中継器を介してアドレス情報提供装置と接続される通信装置であって、前記アドレス情報提供装置が有する異なるアドレスに対してそれぞれテストパケットを送信するテストパケット送信部と、前記テストパケットに対する前記アドレス情報提供装置からの返信である応答パケットをもとに前記他の通信装置との通信可否を判定する通信判定部と、を備え、前記応答パケットは、前記他の通信装置側から当該通信装置にアクセス可能な情報であるアドレスおよびポート情報を含み、前記通信判定部は、送信した前記テストパケットに対応する前記応答パケットをすべて受信し、前記受信した応答パケットにそれぞれ含まれる前記アドレスおよびポート情報がすべて同じアドレスおよびポート情報である場合、前記他の通信端末と通信可能と判定する通信装置を提供する。
【手続補正４】
【補正対象書類名】明細書
【補正対象項目名】０００９
【補正方法】変更
【補正の内容】
【０００９】
また、本発明は、第２の態様として、上記の通信装置であって、前記通信判定部は、送信した前記テストパケットに対応する前記応答パケットをすべて受信できない、または前記受信した応答パケットにそれぞれ含まれる前記アドレスおよびポート情報が異なるアドレスおよびポート情報である場合、前記他の通信装置と通信不可能と判定するものを含む。
【手続補正５】
【補正対象書類名】明細書
【補正対象項目名】００１０
【補正方法】変更
【補正の内容】
【００１０】
また、本発明は、第３の態様として、上記の通信装置であって、前記テストパケット送信部は、異なるアドレスかつ異なるポートに対してテストパケットを送信するものを含む。
【手続補正６】
【補正対象書類名】明細書
【補正対象項目名】００１１
【補正方法】変更
【補正の内容】
【００１１】
また、本発明は、第４の態様として、上記の通信装置であって、前記テストパケット送信部は、前記アドレス情報提供装置が有する第１のアドレスと、第１のアドレスとは異なる第２のアドレスとに送信し、前記第１のアドレスに送信する際、異なるポートに対してそれぞれ送信するものを含む。
【手続補正７】
【補正対象書類名】明細書
【補正対象項目名】００１２
【補正方法】変更
【補正の内容】
【００１２】
また、本発明は、第５の態様として、中継装置を介して他の通信装置と通信を行い、前記中継器を介してアドレス情報提供装置と接続される通信装置の通信方法であって、前記アドレス情報提供装置が有する異なるアドレスに対してそれぞれテストパケットを送信するステップと、前記テストパケットに対する前記アドレス情報提供装置からの返信である応答パケットをもとに前記他の通信装置との通信可否を判定するステップと、を有し、前記応答パケットは、前記他の通信装置側から当該通信装置にアクセス可能な情報であるアドレスおよびポート情報を含み、送信した前記テストパケットに対応する前記応答パケットをすべて受信し、前記受信した応答パケットにそれぞれ含まれる前記アドレスおよびポート情報がすべて同じアドレスおよびポート情報である場合、前記他の通信端末と通信可能と判定するものを含む。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】特許請求の範囲
【補正対象項目名】全文
【補正方法】変更
【補正の内容】
【特許請求の範囲】
【請求項１】
中継装置を介して他の通信装置と通信を行い、前記中継器を介してアドレス情報提供装置と接続される通信装置であって、
前記アドレス情報提供装置が有する異なるアドレスに対してそれぞれテストパケットを送信するテストパケット送信部と、
前記テストパケットに対する前記アドレス情報提供装置からの返信である応答パケットをもとに前記他の通信装置との通信可否を判定する通信判定部と、を備え、
前記応答パケットは、前記他の通信装置側から当該通信装置にアクセス可能な情報であるアドレスおよびポート情報を含み、
前記通信判定部は、送信した前記テストパケットに対応する前記応答パケットをすべて受信し、前記受信した応答パケットにそれぞれ含まれる前記アドレスおよびポート情報がすべて同じアドレスおよびポート情報である場合、前記他の通信端末と通信可能と判定する通信装置。
【請求項２】
請求項１に記載の通信装置であって、
前記通信判定部は、送信した前記テストパケットに対応する前記応答パケットをすべて受信できない、または前記受信した応答パケットにそれぞれ含まれる前記アドレスおよびポート情報が異なるアドレスおよびポート情報である場合、前記他の通信装置と通信不可能と判定する通信装置。
【請求項３】
請求項１に記載の通信装置であって、
前記テストパケット送信部は、異なるアドレスかつ異なるポートに対してテストパケットを送信する通信装置。
【請求項４】
請求項１に記載の通信装置であって、
前記テストパケット送信部は、前記アドレス情報提供装置が有する第１のアドレスと、第１のアドレスとは異なる第２のアドレスとに送信し、前記第１のアドレスに送信する際、異なるポートに対してそれぞれ送信する通信装置。
【請求項５】
中継装置を介して他の通信装置と通信を行い、前記中継器を介してアドレス情報提供装置と接続される通信装置の通信方法であって、
前記アドレス情報提供装置が有する異なるアドレスに対してそれぞれテストパケットを送信するステップと、
前記テストパケットに対する前記アドレス情報提供装置からの返信である応答パケットをもとに前記他の通信装置との通信可否を判定するステップと、を有し、
前記応答パケットは、前記他の通信装置側から当該通信装置にアクセス可能な情報であるアドレスおよびポート情報を含み、
送信した前記テストパケットに対応する前記応答パケットをすべて受信し、前記受信した応答パケットにそれぞれ含まれる前記アドレスおよびポート情報がすべて同じアドレスおよびポート情報である場合、前記他の通信端末と通信可能と判定する通信方法。